【手続補正書】
【提出日】平成22年3月8日(2010.3.8)
【手続補正１】
【補正対象書類名】特許請求の範囲
【補正対象項目名】全文
【補正方法】変更
【補正の内容】
【特許請求の範囲】
【請求項１】
被加熱物を収容する内鍋を有する本体と、
前記本体内に配設され、前記内鍋を加熱する加熱手段と、
前記本体に開閉可能に取り付けられ、前記内鍋を閉塞する蓋体と、
前記蓋体に設けられ、前記内鍋内と外部とを連通する排気通路と、
前記蓋体に設けられ、前記本体の係合受部に係脱可能に係合する係合爪部を有するロック部材、および、後退位置から進出位置に移動されることによりロック解除操作部の操作による前記ロック部材の係合解除方向への移動を阻止する移動部材、を含む構成部材を有する蓋体開閉機構と、
前記排気通路内に位置するように設けられ、該排気通路を閉塞して前記内鍋内を加圧可能とする密閉手段と、
前記密閉手段により密閉した前記内鍋内を大気圧より高い圧力に加圧する加圧手段とを備え、
前記蓋体における前記内鍋との対向部に、該内鍋の上端開口をシールする内蓋を配設した圧力調理器において、
前記内蓋に、前記内鍋内が大気圧より高い所定圧力に昇圧すると該内鍋内の圧力で動作し、前記蓋体開閉機構の構成部材のロック解除動作を阻止するストッパ部材を設け、前記内鍋内が大気圧より高い所定圧力に昇圧した状態での蓋体の開放を不可能としたことを特徴とする圧力調理器。
【請求項２】
被加熱物を収容する内鍋を有する本体と、
前記本体内に配設され、前記内鍋を加熱する加熱手段と、
前記本体に開閉可能に取り付けられ、前記内鍋を閉塞する蓋体と、
前記蓋体に設けられ、前記内鍋内と外部とを連通する排気通路と、
前記蓋体に設けられ、前記本体の係合受部に係脱可能に係合する係合爪部を有するロック部材、および、後退位置から進出位置に移動されることによりロック解除操作部の操作による前記ロック部材の係合解除方向への移動を阻止する移動部材、を含む構成部材を有する蓋体開閉機構と、
前記排気通路内に位置するように設けられ、該排気通路を閉塞して前記内鍋内を加圧可能とするとともに、前記排気通路を開放して前記内鍋内の圧力を外圧と平衡させる密閉手段と、
前記密閉手段により密閉した前記内鍋内を大気圧より高い圧力に加圧する加圧手段とを備え、
前記蓋体における前記内鍋との対向部に、加熱手段のカバーを配設した圧力調理器において、
前記カバーに、前記内鍋内が大気圧より高い所定圧力に昇圧すると該内鍋内の圧力で動作し、前記蓋体開閉機構の構成部材のロック解除動作を阻止するストッパ部材を設け、前記内鍋内が大気圧より高い所定圧力に昇圧した状態での蓋体の開放を不可能としたことを特徴とする圧力調理器。
【請求項３】
前記蓋体の排気通路における前記内鍋と連通した入口側に、前記内鍋側より膨出する膨出部を設け、
前記移動部材を、その一端が後退により前記膨出部内に進入する方向に移動する一方、進出により前記膨出部から脱出する方向に移動するように構成しており、
前記内鍋内が大気圧より高い所定圧力に昇圧し、前記移動部材が進出位置に移動した状態で、該移動部材の一端近傍に進入するように、前記ストッパ部材を前記膨出部に配設し、前記移動部材の後退を阻止するようにしたことを特徴とする請求項１または請求項２に記載の圧力調理器。
【請求項４】
前記密閉手段は、
前記膨出部内に配設され前記内鍋内に連通する通気孔を有する台座部と、
該台座部上に転動可能に配設され、前記移動部材が後退位置に移動することにより押圧されて前記通気孔上から離反される一方、前記移動部材が進出位置に移動することにより押圧が解除されて前記通気孔上に位置して前記排気通路を閉塞する球状部材とを備え、
前記ストッパ部材を、前記移動部材の進出位置で、該移動部材と前記球状部材との間に進入するように、前記台座部に配設したことを特徴とする請求項３に記載の圧力調理器。
【請求項５】
前記密閉手段は、前記ストッパ部材に内蔵したもので、前記膨出部内に位置する前記ストッパ部材に設けた通気孔と、該通気孔内に配設したスプリングと、該スプリングの付勢力で前記通気孔の入口部を閉塞する弁体とを備えることを特徴とする請求項３に記載の圧力調理器。
【請求項６】
前記移動部材は、前記内鍋の上端開口に対して略平行に移動するように配設したもので、該移動部材に下面開口の係止穴を設け、
前記ストッパ部材を、前記移動部材が進出位置に移動した状態で前記係止穴に係止するように配設したことを特徴とする請求項１または請求項２に記載の圧力調理器。
【手続補正２】
【補正対象書類名】明細書
【補正対象項目名】００１１
【補正方法】変更
【補正の内容】
【００１１】
前記課題を解決するため、本発明の第１の圧力調理器は、被加熱物を収容する内鍋を有する本体と、前記本体内に配設され、前記内鍋を加熱する加熱手段と、前記本体に開閉可能に取り付けられ、前記内鍋を閉塞する蓋体と、前記蓋体に設けられ、前記内鍋内と外部とを連通する排気通路と、前記蓋体に設けられ、前記本体の係合受部に係脱可能に係合する係合爪部を有するロック部材、および、後退位置から進出位置に移動されることによりロック解除操作部の操作による前記ロック部材の係合解除方向への移動を阻止する移動部材、を含む構成部材を有する蓋体開閉機構と、前記排気通路内に位置するように設けられ、該排気通路を閉塞して前記内鍋内を加圧可能とする密閉手段と、前記密閉手段により密閉した前記内鍋内を大気圧より高い圧力に加圧する加圧手段とを備え、前記蓋体における前記内鍋との対向部に、該内鍋の上端開口をシールする内蓋を配設した圧力調理器において、前記内蓋に、前記内鍋内が大気圧より高い所定圧力に昇圧すると該内鍋内の圧力で動作し、前記蓋体開閉機構の構成部材のロック解除動作を阻止するストッパ部材を設け、前記内鍋内が大気圧より高い所定圧力に昇圧した状態での蓋体の開放を不可能とした構成としている。
【手続補正３】
【補正対象書類名】明細書
【補正対象項目名】００１２
【補正方法】変更
【補正の内容】
【００１２】
また、本発明の第２の圧力調理器では、前記蓋体における前記内鍋との対向部に、加熱手段のカバーを配設した圧力調理器において、前記カバーに、前記内鍋内が大気圧より高い所定圧力に昇圧すると該内鍋内の圧力で動作し、前記蓋体開閉機構の構成部材のロック解除動作を阻止するストッパ部材を設け、前記内鍋内が大気圧より高い所定圧力に昇圧した状態での蓋体の開放を不可能とした構成としている。
【手続補正４】
【補正対象書類名】明細書
【補正対象項目名】００１３
【補正方法】変更
【補正の内容】
【００１３】
これらの圧力調理器は、内鍋の内圧に連動させて内蓋を移動させるのではなく、専用のストッパ部材を内蓋またはカバーに設けているため、大気圧より高く、内鍋を加圧可能な最大圧力より低い低圧状態でストッパ部材を確実に動作させることができる。その結果、ユーザによる蓋体の開放を阻止する必要がある内鍋内の圧力が大気圧より高い状態で、蓋体開閉機構の構成部材のロック解除動作を阻止することができる。
【手続補正５】
【補正対象書類名】明細書
【補正対象項目名】００２１
【補正方法】変更
【補正の内容】
【００２１】
本発明の圧力調理器では、内鍋の内圧に直に連動する専用のストッパ部材を内蓋またはカバーに設けているため、内鍋内の圧力に連動させてストッパ部材を確実に動作させることができる。その結果、内鍋内の圧力が大気圧より高い状態で、ユーザによる蓋体の開放を確実に阻止することができる。